(57)【要約】【課題】使用済の両頭針を安全に破棄することができる採血用容器ホルダを提供すること。【解決手段】採血用容器ホルダ１は、先端に針先１２を有する第１の針管１１と、第１の針管１１の基端側に設置されたハブ１３と、ハブ１３の基端部に設けられ、第１の針管１１と連通する第２の針管とを備える両頭針１０を装着した装着状態で使用される。採血用容器ホルダ１は、ハブ１３を固定するホルダ本体２０と、装着状態のホルダ本体２０に対し、第１の針管１１を覆う第１の位置と、第１の針管１１から離間する第２の位置とに回動可能に支持されたプロテクタ２５と、プロテクタ２５が第１の位置にあるとき、その状態を保持するロック手段３２とを備えている。ロック手段３２は、ホルダ本体２０に設けられた第１の係合部２４と、プロテクタ２５に設けられ、プロテクタ２５が第１の位置にあるときに第１の係合部２４と係合する第２の係合部２９と有している。【選択図】図１
2007167578.tif 000002
【特許請求の範囲】
【請求項１】
先端に針先を有する先端側中空針と、該先端側中空針の基端側に設置されたハブと、前記ハブの基端側に設けられ、前記先端側中空針と連通する基端側中空針とを備える両頭針を装着した装着状態で使用される採血用容器ホルダであって、
前記ハブを固定する固定部を有するホルダ本体と、
前記装着状態の前記ホルダ本体に対し、前記先端側中空針の少なくとも前記針先を覆う第１の位置と、前記先端側中空針から離間する第２の位置とに回動可能であり、回動支持部を介して支持されたプロテクタと、
前記プロテクタが前記第１の位置にあるとき、その状態を保持するロック手段とを備え、
前記ロック手段は、前記ホルダ本体に設けられた第１の係合部と、前記プロテクタに設けられ、該プロテクタが前記第１の位置にあるときに前記第１の係合部と係合する第２の係合部とを有し、前記第１の係合部と前記第２の係合部とが係合することにより、前記プロテクタが前記第１の位置にある状態が保持されることを特徴とする採血用容器ホルダ。
【請求項２】
前記第１の係合部は、前記固定部の中心軸側またはそれと反対側に向かって突出する第１の爪を有する弾性変形可能な第１の小片部で構成されており、
前記第２の係合部は、前記第１の爪の突出方向と反対方向に突出する第２の爪を有する、弾性変形可能な第２の小片部とで構成されており、
前記プロテクタが前記第１の位置にあるとき、前記第１の爪と前記第２の爪とが係合する請求項１に記載の採血用容器ホルダ。
【請求項３】
前記第１の係合部は、２つの前記第１の小片部を有し、該２つの第１の小片部は、前記固定部の縁部に対向配置されており、
前記第２の係合部は、２つの前記第２の小片部を有し、該２つの第２の小片部は、それぞれ、前記各第１の小片部に対応するように前記プロテクタの端部に配置されている請求項２に記載の採血用容器ホルダ。
【請求項４】
前記プロテクタは、対向する一対の側壁部と、該両側壁部をそれらの一端側で連結する連結部とを有し、横断面形状がほぼコ字状をなすものである請求項１ないし３のいずれかに記載の採血用容器ホルダ。
【請求項５】
前記回動支持部は、前記ホルダ本体と前記プロテクタとに一体的に形成され、前記ホルダ本体側および前記プロテクタ側の部位より厚さが小さい薄肉部を有し、該薄肉部が曲げ変形することにより、前記プロテクタが前記ホルダ本体に対し回動する請求項１ないし４のいずれかに記載の採血用容器ホルダ。
【発明の詳細な説明】
【技術分野】
【０００１】
本発明は、先端に針先を有する先端側中空針と、該先端側中空針の基端側に設置されたハブと、前記ハブの基端側に設けられ、前記先端側中空針と連通する基端側中空針とを備える両頭針（採血針）を装着した装着状態で使用される採血用容器ホルダに関する。
【背景技術】
【０００２】
従来から、被検者（患者）に対して血液採取を行う際等には、採血用容器ホルダの先端部に両頭針（採血針）を装着し、その一端を被検者の血管に穿刺した後、内部が真空または減圧された採血用容器を装着することにより行われる。
【０００３】
ところで、被検者に対する血液採取が終了した後には、両頭針および採血用容器は不要となる。この際、それぞれは別個に廃棄に供されるが、特に両頭針は、そのまま廃棄すると、廃棄作業者等が誤って針先で指等を刺すという事故が起きるおそれがある。特に、針の表面や内部には、血液が付着、残留しているため、このような誤刺により、感染を起こすおそれもある。
【０００４】
そこで、このような問題を解決すべく、プロテクタ（保護ハウジング）を回動させて、このプロテクタを使用後の針管に対して横方向から接近させ、プロテクタの開口部から針管をその内部に収納するよう構成された採血用容器ホルダが開示されている（例えば、特許文献１参照）。
【０００５】
このようなプロテクタでは、針管を覆った収納状態が維持されるように、針管の一部に係合する係合片（ロック機構）がプロテクタの内部に設けられている。
【０００６】
この係合片は、プロテクタを回動させて針管を覆う操作の際には、係合片が針管の一部に当接し、さらに針管を押圧して、針管を乗り越えてから係合するよう構成されている。
【０００７】
しかしながら、このような構成のプロテクタでは、係合片の押圧により針管に撓みが発生し、係合片が針管に係合したとき、前記撓んだ針管自身の復元力により、針管の先端部に付着、残留している被検者の血液や薬液を飛散させて作業者に付着するおそれがあった。
【０００８】
このため、係合片が針管を乗り越えることができず、係合片と針管との係合が不能となってしまうことがある。また、たとえ係合片が針管を乗り越えたとしても、針管が塑性変形して曲がってしまい、針先がプロテクタからはみ出してしまうことがある。
【０００９】
【特許文献１】特表平６−５０３９８７号公報
【発明の開示】
【発明が解決しようとする課題】
【００１０】
本発明の目的は、使用済の両頭針を安全に破棄することができる採血用容器ホルダを提供することにある。
【課題を解決するための手段】
【００１１】
このような目的は、下記（１）〜（５）の本発明により達成される。また、下記（６）〜（８）であるのが好ましい。
【００１２】
（１）  先端に針先を有する先端側中空針と、該先端側中空針の基端側に設置されたハブと、前記ハブの基端側に設けられ、前記先端側中空針と連通する基端側中空針とを備える両頭針を装着した装着状態で使用される採血用容器ホルダであって、
前記ハブを固定する固定部を有するホルダ本体と、
前記装着状態の前記ホルダ本体に対し、前記先端側中空針の少なくとも前記針先を覆う第１の位置と、前記先端側中空針から離間する第２の位置とに回動可能であり、回動支持部を介して支持されたプロテクタと、
前記プロテクタが前記第１の位置にあるとき、その状態を保持するロック手段とを備え、
前記ロック手段は、前記ホルダ本体に設けられた第１の係合部と、前記プロテクタに設けられ、該プロテクタが前記第１の位置にあるときに前記第１の係合部と係合する第２の係合部とを有し、前記第１の係合部と前記第２の係合部とが係合することにより、前記プロテクタが前記第１の位置にある状態が保持されることを特徴とする採血用容器ホルダ。
【００１３】
（２）  前記第１の係合部は、前記固定部の中心軸側またはそれと反対側に向かって突出する第１の爪を有する弾性変形可能な第１の小片部で構成されており、
前記第２の係合部は、前記第１の爪の突出方向と反対方向に突出する第２の爪を有する、弾性変形可能な第２の小片部とで構成されており、
前記プロテクタが前記第１の位置にあるとき、前記第１の爪と前記第２の爪とが係合する上記（１）に記載の採血用容器ホルダ。
【００１４】
（３）  前記第１の係合部は、２つの前記第１の小片部を有し、該２つの第１の小片部は、前記固定部の縁部に対向配置されており、
前記第２の係合部は、２つの前記第２の小片部を有し、該２つの第２の小片部は、それぞれ、前記各第１の小片部に対応するように前記プロテクタの端部に配置されている上記（２）に記載の採血用容器ホルダ。
【００１５】
（４）  前記プロテクタは、対向する一対の側壁部と、該両側壁部をそれらの一端側で連結する連結部とを有し、横断面形状がほぼコ字状をなすものである上記（１）ないし（３）のいずれかに記載の採血用容器ホルダ。
【００１６】
（５）  前記回動支持部は、前記ホルダ本体と前記プロテクタとに一体的に形成され、前記ホルダ本体側および前記プロテクタ側の部位より厚さが小さい薄肉部を有し、該薄肉部が曲げ変形することにより、前記プロテクタが前記ホルダ本体に対し回動する上記（１）ないし（４）のいずれかに記載の採血用容器ホルダ。
【００１７】
（６）  前記第１の係合部は、前記第２の係合部と係合したとき、該第２の係合部より外側に位置する上記（１）ないし（５）のいずれかに記載の採血用容器ホルダ。
【００１８】
（７）  前記プロテクタは、それが前記第１の位置にあるとき、前記両側壁部と前記連結部とで囲まれた空間に前記先端側中空針のほぼ全体を収納する上記（４）に記載の採血用容器ホルダ。
【００１９】
（８）  前記両頭針は、前記ホルダ本体に対し、不可逆的に装着される上記（１）ないし（７）のいずれかに記載の採血用容器ホルダ。
【発明の効果】
【００２０】
本発明の採血用容器ホルダによれば、プロテクタが先端側中空針の針先を覆うときにロック手段が先端側中空針に接触しないため、先端側中空針の針先を確実に覆うことができるとともに、この状態がロック手段で確実に維持される。これにより、使用済の両頭針が装着された採血用容器を安全に破棄することができる。
【００２１】
また、プロテクタが先端側中空針の針先を覆うときにロック手段が先端側中空針に接触しないため、前記ロック手段の接触による先端側中空針の曲がり（変形）が確実に防止され、よって、例えば針先がプロテクタからはみ出してしまうのが確実される。これにより、使用済の両頭針が装着された採血用容器をより安全に破棄することができる。
【００２２】
また、プロテクタが対向する一対の側壁部と、該両側壁部をそれらの一端側で連結する連結部とを有し、横断面形状がほぼコ字状をなすものであって、当該プロテクタが両側壁部と連結部とで囲まれた空間に先端側中空針のほぼ全体を収納することができる場合には、先端側中空針のいかなる部分に対しても不本意に接触するのが確実に防止され、よって、使用済の両頭針が装着された採血用容器をより安全に破棄することができる。
【００２３】
また、両頭針がホルダ本体に対し不可逆的に装着される場合には、当該両頭針が不本意にホルダ本体から離脱するのが確実に防止され、よって、両頭針の再利用を防ぎ、かつ使用済の両頭針が装着された採血用容器をより安全に破棄することができる。
【発明を実施するための最良の形態】
【００２４】
以下、本発明の採血用容器ホルダを添付図面に示す好適な実施形態に基づいて詳細に説明する。
図１および図２は、それぞれ、本発明の採血用容器ホルダに両頭針が装着された状態を示す斜視図（図１は、プロテクタが第２の位置にあり、図２は、プロテクタが第１の位置にある）、図３は、図１中のＡ−Ａ線断面図、図４は、図１中のＢ−Ｂ線断面図、図５は、図２中のＣ−Ｃ線断面図である。
なお、以下では、説明の都合上、図１〜図５中の上側を「先端」、下側を「基端」と言う。また、図４および図５では、両頭針を省略して描かれている。
【００２５】
各図に示す採血用容器ホルダ１は、採血のときに生体表面を穿刺する両頭針１０を不可逆的に装着した装着状態で使用されるものである。
【００２６】
まず、採血用容器ホルダ１について説明する前に、両頭針１０について説明する。
両頭針１０は、先端に鋭利な針先１２を有する第１の針管（先端側中空針）１１と、第１の針管１１の基端部（基端側）に固定されたハブ１３と、ハブ１３の基端部（基端側）に固定された第２の針管（基端側中空針）１４とを有している。
【００２７】
第１の針管１１は、先端方向に向かって突出形成されており、針先１２で生体表面および血管を穿刺する部位である。
【００２８】
第２の針管１４は、基端方向に向かって突出形成されており、第１の針管と同様に、端部（基端）に鋭利な針先（図示せず）を有している。この第２の針管１４は、その針先で、その内部が真空または減圧された血液を貯留するための採血用容器の口部を封止する栓体を穿刺する部位である。
【００２９】
また、図３に示すように、第２の針管１４には、通常、その少なくとも針先を被包する被包部材３０が設置されている。この被包部材３０は、未使用時に第２の針管１４の針先の汚染を防ぐ役割を果たす。なお、このような被包部材３０としては、例えば、天然ゴム、イソプレンゴム、ブタジエンゴム、シリコーンゴム、ラテックスゴムのような各種ゴム材料による膜で構成され、第２の針管１４の針先により容易に刺通可能なものが好適に使用される。
【００３０】
第１の針管１１および第２の針管１４は、それぞれ、中空針であり、例えば、ステンレス鋼、アルミニウムまたはアルミニウム合金、チタンまたはチタン合金のような金属材料で構成されている。また、第１の針管１１の針先１２（第２の針管１４の針先も同様）の形状は特に限定されず、本実施形態では、第１の針管１１の軸線に対し所定角度傾斜した刃面を有する形状をなしている。
【００３１】
両頭針１０では、第１の針管１１は、第２の針管１４と連通しており、第２の針管１４を採血用容器内に接続すると、その真空または減圧作用により、第１の針管１１から採取された血管からの血液を第２の針管１４を介して、採血用容器に集めることができる。
【００３２】
第１の針管１１および第２の針管１４のハブ１３に対する固着方法としては、特に限定されず、例えば、カシメ、融着（熱融着、高周波融着等）、接着剤による接着等の方法が挙げられる。
【００３３】
ハブ１３は、略筒状の部材で構成され、好ましくは透明（無色透明）、着色透明または半透明の樹脂で構成され、内部の視認性が確保されている。
【００３４】
ハブ１３は、外径形状が柱状をなすハブ本体１３１と、ハブ本体１３１の基端部に形成されたテーパ部１３２と、ハブ本体１３１の途中に形成されたフランジ１５と、ハブ本体１３１の外周部に形成された複数（図１〜図３の構成では４つ）のリブ１６とを有している。
【００３５】
テーパ部１３２は、内径が基端方向に向かって漸減する部位である。また、テーパ部１３２の先端の外径は、ハブ本体１３１のテーパ部１３２の先端付近の外径より大きく設定されており、これにより、テーパ部１３２とハブ本体１３１とに段差が生じている（以下、この段差が生じている部分を「段差部１３３」という）。段差部１３３は、装着状態で、採血用容器ホルダ１と係合する。
【００３６】
フランジ１５は、外周方向へ突出した円板状をなす部位である。装着状態では、フランジ１５が採血用容器ホルダ１の孔２０２の凸部２０２ａに当接する。これにより、両頭針１０がぐらつくことを防止することができる。
【００３７】
また、フランジ１５の基端面には、さらに、フランジ１５より小径の小フランジ１５１が設けられ、その基端面には、基端方向に突出した小突起１５２が複数（例えば、４つ）設けられている。
【００３８】
また、ハブ１３の先端側の外周部には、４つの板状のリブ１６が放射状に突出形成されている。リブ１６は、第１の針管１１の使用前において、第１の針管１１の全体を覆うキャップ（図示せず）の内周面と係合してその係合状態を維持することができる。係合状態では、第１の針管１１による不本意な穿刺の防止したり、第１の針管１１を衛生に保ったりすることができる。
【００３９】
次に、採血用容器ホルダ１について説明する。
図１（図２〜図５も同様）に示す採血用容器ホルダ１は、両頭針１０のハブ１３を固定するホルダ本体２０と、ホルダ本２０に対し回動可能であり、回動支持部３１を介して支持されたプロテクタ２５と、ロック手段３２とを有している。
【００４０】
装着状態の採血用容器ホルダ１は、プロテクタ２５が第１の針管１１を覆っていない状態（図１に示す状態）で、第１の針管１１による穿刺が行われる。また、装着状態の採血用容器ホルダ１は、第１の針管１１で生体表面を穿刺した後、すなわち、第１の針管１１が使用された後、プロテクタ２５が第１の針管１１を覆った状態（図２に示す状態）で、両頭針１０とともに破棄される。
【００４１】
以下、各部の構成について説明する。
ホルダ本体２０は、基端が開放（開口）した有底筒状をなすものである。
【００４２】
図３〜図５に示すように、ホルダ本体２０の天板２０１は、その中心部に孔２０２が形成されたリング状をなしている。
【００４３】
また、ホルダ本体２０の内側には、孔２０２と同心的に筒体２２が形成されている。筒体２２は、その基端部の内径が縮径した段差部２３を有している。段差部２３は、装着状態で、両頭針１０のハブ１３の段差部１３３と係合する（図３参照）。これにより、両頭針１０が採血用容器ホルダ１（ホルダ本体２０）に対し不可逆的に装着されることとなり、よって、当該両頭針１０が採血用容器ホルダ１から不本意に離脱するのが防止される。したがって、使用済の両頭針１０を採血用容器ホルダ１とともに安全に破棄することができる。
【００４４】
また、筒体２２には、小フランジ１５１の基端面が設置される座部２２１が形成されている。座部２２１の表面には、多数の突起２２１ａが設けられている。装着状態で、小フランジ１５１が座部２２１に当接することにより、各小突起１５２が座部２２１の２つの突起２２１ａの間に係止されるので、採血用容器ホルダ１に対する両頭針１０の軸回転を防ぐことができる。
【００４５】
このように、採血用容器ホルダ１では、天板２０１と筒体２２とにより構成された部位が、ハブ１３を固定する「固定部２１」となる。
【００４６】
ホルダ本体２０には、回動支持部３１を介して、プロテクタ２５が支持されている。なお、回動支持部３１については、後述する。
【００４７】
プロテクタ２５は、装着状態のホルダ本体２０に対し、第１の針管１１の少なくとも針先１２を覆う第１の位置（図２参照）と、その位置からほぼ９０度傾回動（傾倒）して第１の針管１１から離間する第２の位置（図１参照）とに回動可能である。以下、プロテクタ２５が第１の位置にある状態を「起立状態（被覆状態）」といい、プロテクタ２５が第２の位置にある状態を「伏倒状態（穿刺可能状態）」という。
【００４８】
図１および図２に示すように、プロテクタ２５は、背壁２５５と、背壁２５５の両方の長手方向の縁部に設けられ、対向する一対の長尺な側壁部２５１ａ、２５１ｂと、両側壁部２５１ａ、２５１ｂをそれらの一端側で連結する連結部２５２とで構成され、横断面形状がほぼコ字状をなしている。また、両側壁部２５１ａ、２５１ｂは、ほぼ平行に設置されている。
【００４９】
このような構成のプロテクタ２５は、起立状態で、両側壁部２５１、２５１と、連結部２５２とで囲まれた空間２５３に第１の針管１１のほぼ全体を挿入、収納するようになっている。これにより、起立状態で、第１の針管１１の針先１２のみならず、針先１２以外の部分にも不本意に接触するのが確実に防止され、よって、例えば第１の針管１１に血液や薬液が付着していても、両頭針１０を安全に破棄することができる。
【００５０】
また、図２に示すように、プロテクタ２５には、起立状態で、固定部２１から露出したハブ１３を覆うハブ被覆部２６が設けられているのが好ましい。ハブ被覆部２６は、プロテクタ２５の端部２５４側より外形が大きく形成されている。これにより、起立状態で、固定部２１から露出したハブ１３を確実に覆うことができる。
【００５１】
また、プロテクタ２５の長さは、起立状態で針先１２がプロテクタ２５の連結部２５２の端部２５４より基端側に位置し、針先１２が端部２５４から所定距離離間して、端部２５４に接触しない程度の長さとされる。
【００５２】
また、プロテクタ２５を把持して伏倒状態から起立状態へプロテクタ２５を回動させることにより、当該プロテクタ２５の前記コ字状の開口部から第１の針管１１がプロテクタ２５の空間２５３に入り込む。すなわち、プロテクタ２５を把持して伏倒状態から起立状態へプロテクタ２５を回動させることにより、当該プロテクタ２５が第１の針管１１に対し側方（図２中左右方向）から接近して、第１の針管１１を覆う。
【００５３】
これにより、針先１２側に作業者の手が位置するのが防止され、よって、針先１２で不本意に手が穿刺されるのを防止することができる。
【００５４】
なお、プロテクタ２５が第１の針管１１を覆ったとき、背壁２５５の内面と第１の針管１１とを接触させてもよい。これにより、第１の針管１１が撓み、プロテクタ２５が第２の状態に戻ろうとする力が係り、後述する第１の係合部２４と第２の係合部２９、あるいは、係止面２４２と第２の係合部２９との引っ掛かりが強くなり、より強固に固定することができる。
【００５５】
回動支持部３１は、ホルダ本体２０の外周部とプロテクタ２５のハブ被覆部２６とに一体的に形成されており、ホルダ本体２０とプロテクタ２５とを連結している。
【００５６】
この回動支持部３１は、ホルダ本体２０側に位置するホルダ本体側支持部（部位）３１１と、プロテクタ２５側に位置するプロテクタ側支持部（部位）３１２と、ホルダ本体側支持部３１１とプロテクタ側支持部３１２との間に位置する薄肉部２７とで構成されている。
【００５７】
薄肉部２７は、ホルダ本体側支持部３１１およびプロテクタ側支持部３１２より厚さが小さく設定されている。この薄肉部２７が曲げ変形することにより（図２参照）、プロテクタ２５がホルダ本体２０に対し確実に回動する。
【００５８】
採血用容器ホルダ１は、プロテクタ２５の起立状態を保持するロック手段３２を備えている。
【００５９】
ロック手段３２は、ホルダ本体２０に一体的に形成された第１の係合部２４と、プロテクタ２５に一体的に形成された第２の係合部２９とで構成されている。採血用容器ホルダ１は、第１の係合部２４と第２の係合部２９とが係合することにより、プロテクタ２５の起立状態が保持されるよう構成されている（図２および図５参照）。
【００６０】
図４および図５に示すように、第１の係合部２４は、固定部２１の縁部２１１に対向配置された２つの第１の小片部２４ａおよび２４ｂで構成されている。第１の小片部２４ａおよび２４ｂの形状は、ほぼ同一であるため、以下、第１の小片部２４ａについて代表的に説明する。
【００６１】
第１の小片部２４ａは、第１の爪２４１を有する弾性変形可能なものである。
この第１の小片部２４ａは、その基端を固定端、その先端を可動端として固定部２１の縁部２１１に片持ち支持され、可動端が弾性的に固定部２１の外側に変位（変形）することができる。
【００６２】
また、第１の小片部２４ａには、固定部２１の内側（中心軸側）に向かって突出する第１の爪２４１が形成されている。この第１の爪２４１は、その先端部に形成されたテーパ面２４３と、基端部に形成された係止面２４２とを有している。
【００６３】
テーパ面２４３は、テーパ状をなす面である。このテーパ面２４３が形成されていることにより、第１の係合部２４と第２の係合部２９との係合に至る操作を容易に行うことができる。
また、係止面２４２は、先端方向に湾曲した面である。
【００６４】
次に、第２の係合部２９について説明する。
第２の係合部２９は、側壁部２５１および２５１の端部に対向配置された２つの第２の小片部２９ａおよび２９ｂで構成されている。第２の小片部２９ａは、第１の小片部２４ａに対応する位置に形成され、第２の小片部２９ｂは、第１の小片部２４ｂに対応する位置に形成されている。第２の小片部２９ａおよび２９ｂの形状は、ほぼ同一であるため、以下、第２の小片部２９ａについて代表的に説明する。
【００６５】
第２の小片部２９ａは、第２の爪２９１を有する弾性変形可能なものである。
この第２の小片部２９ａは、その一端を固定端、その他端を可動端として図５（図４も同様）中の右側の側壁部２５１に片持ち支持され、可動端が弾性的にプロテクタ２５の内側に変位（変形）することができる。
【００６６】
また、第２の小片部２９ａには、第１の爪２４１の突出方向と反対方向、すなわち、プロテクタ２５の外側に向かって突出する第２の爪２９１が形成されている。この第２の爪２９１は、その可動端側（図５中の基端側）に形成されたテーパ面２９３と、固定端側（図５中の先端側）に形成された係止面２９２とを有している。
【００６７】
テーパ面２９３は、テーパ状をなす面である。このテーパ面２９３が形成されていることにより、第１の係合部２４と第２の係合部２９との係合に至る操作を容易に行うことができる。
【００６８】
また、係止面２９２は、前記固定端側に湾曲した面である。
以上のような構成の第１の係合部２４と第２の係合部２９とは、以下のようにして係合する。
【００６９】
装着状態の採血用容器ホルダ１において、伏倒状態のプロテクタ２５を起立させていくと、各第２の爪２９１のテーパ面２９３が各第１の爪２４１のテーパ面２４３に当接する。さらに、プロテクタ２５を起立させていくと、各テーパ面２４３と各テーパ面２９３とは、互いに反力を受けて、各第１の爪２４１は、固定部２１の外側へ押圧されて変形し、各第２の爪２９１は、プロテクタ２５の内側へ押圧されて変形する。その際、各第２の爪２９１のテーパ面２９３は、各第１の爪２４１のテーパ面２４３上を摺動する。
【００７０】
その後、各第２の爪２９１の係止面２９２が各第１の爪２４１の係止面２４２まで至って、各第２の爪２９１が各第１の爪２４１を通過する（乗り越える）と、各第１の爪２４１および各第２の爪２９１は、弾性力によって変形以前の状態に復元する。その結果、各第１の爪２４１の係止面２４２と各第２の爪２９１の係止面２９２とが係合する。また、このとき、プロテクタ２５は、起立状態となる。
【００７１】
このように第１の係合部２４と第２の係合部２９とが係合することにより、起立状態のプロテクタ２５が不本意に伏倒状態となるのが確実に防止される。これにより、プロテクタ２５の起立状態が確実に維持され、使用済の両頭針１０を安全に破棄することができる。
【００７２】
図５に示すように、第１の係合部２４の第１の小片部２４ａは、第２の係合部２９の第２の小片部２９ａと係合したとき、当該第２の小片部２９ａより外側に位置する。また、第１の係合部２４の第１の小片部２４ｂは、第２の係合部２９の第２の小片部２９ｂと係合したとき、当該第２の小片部２９ｂより外側に位置する。
【００７３】
これにより、第１の係合部２４および第２の係合部２９が触れ難くなるため、起立状態が確実に維持される。
【００７４】
また、前述したように回動支持部３１（薄肉部２７）がホルダ本体２０とプロテクタ２５とに一体的に形成されているため、起立状態のプロテクタ２５は、薄肉部２７の復元力により、伏倒状態となる方向に付勢されている。これにより、第１の係合部２４と第２の係合部２９とがより確実かつ強固に係合し、よって、プロテクタ２５の起立状態をより確実に維持することができる。
【００７５】
また、ホルダ本体２０とプロテクタ２５とは回動支持部３１を介して一体的に形成されているため、採血用容器ホルダ１を構成する部品点数を抑制することができ、よって、当該採血用容器ホルダ１を容易に製造することができる。
【００７６】
また、ホルダ本体２０、プロテクタ２５、回動支持部３１およびロック手段３２の各部の構成材料は、特に限定されず、それぞれ、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレート、ポリブチレンテレフタレート等のポリエステル、アクリル系樹脂、ＡＢＳ樹脂、ＡＳ樹脂、アイオノマー、ポリアセタール、ポリフェニレンサルファイド、ポリエーテルエーテルケトン等の各種樹脂材料が挙げられる。
【００７７】
以上のように構成された採血用容器ホルダ１は、以下のようにして使用される。
まず、プロテクタ２５が伏倒状態の採血用容器ホルダ１を用意する。
【００７８】
この採血用容器ホルダ１（ホルダ本体２０）の固定部２１に、両頭針１０を第２の針管１４側から装着する。
【００７９】
両頭針１０が装着された採血用容器ホルダ１を把持し、当該両頭針１０により、生体表面を穿刺する（血管を穿刺する）。
【００８０】
内部が真空または減圧された採血用容器（採血管）（図示せず）を、装着状態の採血用容器ホルダ１のホルダ本体２０に、その基端側から装着する。このとき、真空または減圧作用により両頭針１０を介して、採血用容器に血液が貯留される。その後、採血用容器を取り外す。必要に応じて、他の採血用容器数本の装着、取り外しを繰り返す。
【００８１】
次に、採血用容器が取り外された採血用容器ホルダ１を生体表面から引き抜いた後、起立状態とし、この状態で破棄する。
【００８２】
なお、第１の小片部および第２の小片部の形成数は、図示の構成では２つであるが、これに限定されず、例えば、１つ、３つ以上であってもよい。
【００８３】
また、第１の小片部２４ａおよび２４ｂの第１の爪２４１は、それぞれ、図示の構成では固定部２１の内側に向かって突出したものであるが、これに限定されず、例えば、固定部２１の外側に向かって突出したものであってもよい。各第１の爪２４１が固定部２１の外側に向かって突出したものである場合、各第２の爪２９１は、各第１の爪２４１の突出方向と反対方向、すなわち、プロテクタ２５の内側に突出したものとなる。
【００８４】
以上、本発明の採血用容器ホルダを図示の実施形態について説明したが、本発明は、これに限定されるものではなく、採血用容器ホルダを構成する各部は、同様の機能を発揮し得る任意の構成のものと置換することができる。また、任意の構成物が付加されていてもよい。
【００８５】
また、回動支持部は、図示の構成では薄肉部を有するものであるが、これに限定されず、例えば、軸と当該軸を支持する軸受けとで構成されたヒンジ構造部をなすものであってもよい。
【００８６】
また、採血用容器ホルダは、プロテクタが第２の位置にあるとき、その状態を保持する手段を有してもよい。この手段により、プロテクタの伏倒状態が確実に維持され、よって、第１の針管により生体表面を穿刺するとき、プロテクタが回動して穿刺の邪魔になるのを確実に防止することができる。
【００８７】
また、プロテクタは、図示の構成ではほぼ９０度回動するものであるが、これに限定されず、例えば、１８０度回動するものであってもよい。プロテクタが１８０度回動するものである場合、回動支持部のホルダ本体側支持部とプロテクタ側支持部とが当接するまで、プロテクタが伏倒する。プロテクタがこの状態（伏倒状態）となることにより、第１の針管により生体表面を穿刺するとき、プロテクタが穿刺の邪魔になるのを確実に防止することができる。
【図面の簡単な説明】
【００８８】
【図１】本発明の採血用容器ホルダに両頭針が装着された状態を示す斜視図である。
【図２】本発明の採血用容器ホルダに両頭針が装着された状態を示す斜視図である。
【図３】図１中のＡ−Ａ線断面図である。
【図４】図１中のＢ−Ｂ線断面図である。
【図５】図２中のＣ−Ｃ線断面図である。
【符号の説明】
【００８９】
１            採血用容器ホルダ
１０          両頭針
１１          第１の針管（先端側中空針）
１２          針先
１３          ハブ
１３１        ハブ本体
１３２        テーパ部
１３３        段差部
１４          第２の針管（基端側中空針）
１５          フランジ
１５１        小フランジ
１５２        小突起
１６          リブ
２０          ホルダ本体
２０１        天板
２０２        孔
２０２ａ      凸部
２１          固定部
２１１        縁部
２２          筒体
２２１        座部
２２１ａ      突起
２３          段差部
２４          第１の係合部
２４ａ、２４ｂ  第１の小片部
２４１        第１の爪
２４２        係止面
２４３        テーパ面
２５          プロテクタ
２５１ａ、２５１ｂ  側壁部
２５２        連結部
２５３        空間
２５４        端部
２５５        背壁
２６          ハブ被覆部
２７          薄肉部
２９          第２の係合部
２９ａ、２９ｂ  第２の小片部
２９１        第２の爪
２９２        係止面
２９３        テーパ面
３０          包皮部材
３１          回動支持部
３１１        ホルダ本体側支持部（部位）
３１２        プロテクタ側支持部（部位）
３２          ロック手段
【図１】
2007167578.tif 000003
【図２】
2007167578.tif 000004
【図３】
2007167578.tif 000005
【図４】
2007167578.tif 000006
【図５】
2007167578.tif 000007